【手続補正書】
【提出日】平成19年3月19日(2007.3.19)
【手続補正１】
【補正対象書類名】明細書
【補正対象項目名】発明の名称
【補正方法】変更
【補正の内容】
【発明の名称】表示装置及び表示装置における表示方法並びにこれを使用したカメラ
【手続補正２】
【補正対象書類名】明細書
【補正対象項目名】特許請求の範囲
【補正方法】変更
【補正の内容】
【特許請求の範囲】
【請求項１】  画像表示面に接触位置検出手段が搭載され、画像表示面の向きを反転又は回転して使用する表示装置であって、
該表示装置の向きを検出する向き検出手段と、
上記接触位置検出手段における座標位置と所定の処理との対応関係が設定されたメモリ手段とを備え、
上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにした
ことを特徴とする表示装置。
【請求項２】  カメラ本体に対して垂直軸及び水平軸を中心に各別に回動自在に支持された表示手段と、
上記表示手段の向きを検出する向き検出手段と、
上記表示手段の画像表示面に搭載された接触位置検出手段と、
上記接触位置検出手段における座標位置と所定の処理との対応関係が設定されたメモリ手段とを備え、
上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにした
ことを特徴とするカメラ。
【請求項３】  画像表示面に接触位置検出手段が搭載され、画像表示面の向きを反転又は回転して使用する表示装置における表示方法であって、
上記表示装置の向きを向き検出手段によって検出し、
上記接触位置検出手段における座標位置と所定の処理との対応関係をメモリ手段によって設定し、
上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにした
ことを特徴とする表示装置における表示方法。
【請求項４】  表示手段がカメラ本体に対して垂直軸及び水平軸を中心に各別に回動自在に支持され、
上記表示手段の向きを向き検出手段によって検出し、
接触位置検出手段が上記表示手段の画像表示面に搭載され、
上記接触位置検出手段における座標位置と所定の処理との対応関係をメモリ手段によって設定し、
上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにした
ことを特徴とするカメラ。
【手続補正３】
【補正対象書類名】明細書
【補正対象項目名】０００１
【補正方法】変更
【補正の内容】
【０００１】
【発明の属する技術分野】
本発明は、画像表示面に接触位置検出手段、例えば、タッチパネルが搭載され、画像表示面の向きを変えて使用される表示装置などにおいて、タッチパネルの操作性を向上させる技術に関する。
【手続補正４】
【補正対象書類名】明細書
【補正対象項目名】０００５
【補正方法】変更
【補正の内容】
【０００５】
【発明が解決しようとする課題】
ところで、上記したようなタッチパネルを搭載した表示装置などにあっては、カメラ本体に対して外部表示モニターの向きを変えたときに、タッチパネルの操作ボタン表示の位置が外部表示モニターの向きの変更の前後の状態において異なってしまい、操作性が悪いという問題がある。
【手続補正５】
【補正対象書類名】明細書
【補正対象項目名】０００９
【補正方法】変更
【補正の内容】
【０００９】
【課題を解決するための手段】
本発明表示装置は、上記した課題を解決するために、表示装置の向きを検出する向き検出手段と、接触位置検出手段における座標位置と所定の処理との対応関係が設定されたメモリ手段とを備え、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたものである。また、本発明表示装置における表示方法は、画像表示面に接触位置検出手段が搭載され、画像表示面の向きを反転又は回転して使用する表示装置における表示方法であって上記表示装置の向きを向き検出手段によって検出し、上記接触位置検出手段における座標位置と所定の処理との対応関係をメモリ手段によって設定し、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたものである。
【手続補正６】
【補正対象書類名】明細書
【補正対象項目名】００１０
【補正方法】変更
【補正の内容】
【００１０】
従って、本発明表示装置などにあっては、表示装置がどのような向きに変更されても、常に、その状態の表示装置の向きを向き検出手段により検出して接触位置検出手段の操作部位を接触位置検出手段における座標位置に変換し、該座標位置に対応した所定の処理を行なうようにしたため、表示装置の向きの変更にかかわらず、接触位置検出手段における座標上の所定の位置を入力すると一定の処理がなされ、よって、操作者は自分が見ている状態を基準として接触位置検出手段を操作することができ、操作性の向上を図ることができる。
【手続補正７】
【補正対象書類名】明細書
【補正対象項目名】００１１
【補正方法】変更
【補正の内容】
【００１１】
また、本発明カメラは、外部表示モニターの向きを検出する向き検出手段と、上記外部表示モニターの画像表示面に搭載された接触位置検出手段と、上記外部表示モニターの接触位置検出手段における座標位置と所定の処理との対応関係が設定されたメモリ手段とを備え、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたものである。あるいは、表示手段がカメラ本体に対して垂直軸及び水平軸を中心に各別に回動自在に支持され、上記表示手段の向きを向き検出手段によって検出し、接触位置検出手段が上記表示手段の画像表示面に搭載され、上記接触位置検出手段における座標位置と所定の処理との対応関係をメモリ手段によって設定し、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたものである。
【手続補正８】
【補正対象書類名】明細書
【補正対象項目名】００１３
【補正方法】変更
【補正の内容】
【００１３】
【発明の実施の形態】
以下に、本発明の実施の形態について、添付図面を参照して説明する。
【手続補正９】
【補正対象書類名】明細書
【補正対象項目名】００８１
【補正方法】変更
【補正の内容】
【００８１】
【発明の効果】
以上に記載したところから明らかなように本発明表示装置は、画像表示面に接触位置検出手段が搭載され、画像表示面の向きを反転又は回転して使用する表示装置であって、該表示装置の向きを検出する向き検出手段と、上記接触位置検出手段における座標位置と所定の処理との対応関係が設定されたメモリ手段とを備え、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたことを特徴とする。また、本発明表示装置における表示方法は、画像表示面に接触位置検出手段が搭載され、画像表示面の向きを反転又は回転して使用する表示装置における表示方法であって上記表示装置の向きを向き検出手段によって検出し、上記接触位置検出手段における座標位置と所定の処理との対応関係をメモリ手段によって設定し、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたことを特徴とする。
【手続補正１０】
【補正対象書類名】明細書
【補正対象項目名】００８２
【補正方法】変更
【補正の内容】
【００８２】
従って、本発明表示装置などにあっては、表示装置がどのような向きに変更されても、常に、その状態の表示装置の向きを向き検出手段により検出して接触位置検出手段の操作部位を接触位置検出手段における座標位置に変換し、該座標位置に対応した所定の処理を行なうようにしたため、表示装置の向きの変更にかかわらず、接触位置検出手段における座標上の所定の位置を入力すると一定の処理がなされ、よって、操作者は自分が見ている状態を基準として接触位置検出手段を操作することができ、操作性の向上を図ることができる。
【手続補正１１】
【補正対象書類名】明細書
【補正対象項目名】００８３
【補正方法】変更
【補正の内容】
【００８３】
また、本発明カメラは、外部表示モニターがカメラ本体に対して垂直軸及び水平軸を中心に各別に回動自在に支持されたカメラであって、上記外部表示モニターの向きを検出する向き検出手段と、上記外部表示モニターの画像表示面に搭載された接触位置検出手段と、上記接触位置検出手段における座標位置と所定の処理との対応関係が設定されたメモリ手段とを備え、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたことを特徴とする。あるいは、表示手段がカメラ本体に対して垂直軸及び水平軸を中心に各別に回動自在に支持され、上記表示手段の向きを向き検出手段によって検出し、接触位置検出手段が上記表示手段の画像表示面に搭載され、上記接触位置検出手段における座標位置と所定の処理との対応関係をメモリ手段によって設定し、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたことを特徴とする。
【手続補正１２】
【補正対象書類名】明細書
【補正対象項目名】図面の簡単な説明
【補正方法】変更
【補正の内容】
【図面の簡単な説明】
【図１】
図２乃至図４と共に、本発明の実施の形態を示すものであり、本図は、基準向きの表示装置の正面図である。
【図２】
テーブルを示す概念図である。
【図３】
水平軸Ｘを中心に１８０度回動させた状態の表示装置を裏面側から見た背面図である。
【図４】
上下左右反転向きの表示装置の正面図である。
【図５】
図６乃至図１５と共に、本発明カメラの実施の一例を示すもので、本図は全体の回路図である。
【図６】
フローチャート図である。
【図７】
開いていない状態のカメラの斜視図である。
【図８】
通常撮影モードの状態を示すカメラの斜視図である。
【図９】
ＶＴＲモードの状態を示すカメラの斜視図である。
【図１０】
ミラーモードの状態を示すカメラの斜視図である。
【図１１】
通常撮影モードの状態における外部表示モニターの正面図である。
【図１２】
ＶＴＲモードの状態における外部表示モニターの正面図である。
【図１３】
ミラーモードの状態における外部表示モニターの正面図である。
【図１４】
ミラーモードの状態でその表示画像のうち操作用表示画像のみを左右入れ替えた状態を示す正面図である。
【図１５】
モニター向き検出スイッチと各モードとの関係を示す概念図である。
【符号の説明】
１…表示装置、２…タッチパネル（接触位置検出手段）、３mn…操作部位、４…テーブル（メモリ手段）、Ｐxy…タッチパネルにおける座標位置、５…向き検出手段、Ｙ軸…垂直軸、Ｘ軸…水平軸、６…カメラ、６ａ…カメラ本体、７…外部表示モニター、８…ファインダー、１０…画像表示面、１１…タッチパネル（接触位置検出手段）、１８…向き検出スイッチ、Ｐxy…タッチパネルにおける座標位置、１９mn…操作部位